(57)【要約】【課題】就寝時に使用される扇風機において、就寝時の不快さを低減し、睡眠時の冷えすぎなど使用者の健康を害することのないようにすることを目的とする。【解決手段】制御手段６は、切替スイッチ４によって風量ノッチを選択後、おやすみ運転モードを実行すると、切替スイッチ４で選択した風量ノッチで第１の所定時間運転後、温度測定手段５が測定した温度が、温度測定手段５が第１の所定時間前に測定した温度以下の場合には、運転中の風量ノッチを一段階下げ、温度測定手段５が測定した温度が、温度測定手段５が第１の所定時間前に測定した温度より大きい場合には、運転中の風量ノッチを継続し、これらの制御を繰り返すという構成にしたことにより、就寝時において、体感風量が足りず暑く感じることを低減し、就寝時の不快さや、睡眠のさまたげを抑制するという効果を得ることができる。【選択図】図２
2015086865.tif 000002
【特許請求の範囲】
【請求項１】
本体と、この本体に設けられたモータ部と、このモータによって回転する羽根部と、複数の風量の異なる風量ノッチを設定する切替スイッチと、前記本体外の温度を測定する温度測定手段と、前記モータ部の回転数を制御する制御手段とから構成し、この制御手段は、前記切替スイッチによって風量ノッチを選択後、前記おやすみ運転モードを実行すると、前記切替スイッチで選択した風量ノッチで第１の所定時間運転後、前記温度測定手段が測定した温度が、前記温度測定手段が第１の所定時間前に測定した温度以下の場合には、運転中の前記風量ノッチを一段階下げ、前記温度測定手段が測定した温度が、前記温度測定手段が前記第１の所定時間前に測定した温度より大きい場合には、運転中の前記風量ノッチを継続し、これらの制御を繰り返すことを特徴とする扇風機。
【請求項２】
前記制御手段は、前記切替スイッチで選択した風量ノッチで第１の所定時間運転後、前記温度測定手段が測定した温度が、前記温度測定手段が第１の所定時間前に測定した温度以下の場合には、運転中の前記風量ノッチの風量を徐々に前記第１の所定時間かけて一段階下げることを特徴とする請求項１に記載の扇風機。
【請求項３】
前記制御手段は、前記おやすみ運転モードを実行した時の前記羽根部の送風による騒音が所定の騒音値を超えている場合には、前記温度測定手段が測定した温度が、前記温度測定手段が第１の所定時間前に測定した温度以下の場合にも、前記温度測定手段が前記第１の所定時間前に測定した温度より大きい場合にも、前記羽根部の送風による騒音が所定の騒音値より低い最大ノッチまで下げることを特徴とする請求項１または２に記載の扇風機。
【請求項４】
前記制御手段は、前記おやすみ運転モードにて運転をした後、室温に応じて決定される最小風量ノッチに達した場合に、それより下の段階には下げないことを特徴とする請求項１から３のいずれかに記載の扇風機。
【請求項５】
前記制御手段は、前記おやすみ運転モードにて運転をした後、おやすみ運転モード設定時の室温とおやすみ運転モード設定時の使用者の設定風量ノッチに応じて決定される最小風量ノッチに達した場合に、それより下の段階には下げないことを特徴とする請求項１から３のいずれかに記載の扇風機。
【請求項６】
前記制御手段は、前記おやすみ運転モードにて運転をした後、使用者の定める最小風量ノッチに達した場合に、それより下の段階には下げないことを特徴とする請求項１から３のいずれかに記載の扇風機。
【発明の詳細な説明】
【技術分野】
【０００１】
本発明は、設定風量に応じた風を出す扇風機に関するものである。
【背景技術】
【０００２】
従来、この種の扇風機は、就寝時の運転では、時間によって順次風量を下げるものが知られている（例えば、特許文献１参照）。
【０００３】
以下、その送風制御方法について図１０を参照しながら説明する。
【０００４】
図１０に示すように、風量選択回路１０１と回転数制御回路１０２とモータ１０３からなり、調整子１０４とタイマースイッチ１０５を備えることにより、調整子１０４からの信号を入力した風量選択回路１０１は、調整子１０４の設定に従い風量を選択して回転数制御回路１０２に回転数制御信号を出力し、回転数制御回路１０２は入力した信号に従い、モータ１０３の回転数を制御する。また、タイマースイッチ１０５からのタイマー開始と設定時間の信号を入力した風量選択回路１０１は、調整子１０４にて設定された風量値よりタイマー開始時からの経過時間に比例して減少させ、設定時間に達した時、停止するように回転数制御回路１０２を制御している。
【先行技術文献】
【特許文献】
【０００５】
【特許文献１】特開平１−２５３５９３号公報
【発明の概要】
【発明が解決しようとする課題】
【０００６】
このような従来の扇風機においては、就寝時の運転では、周辺温度の状況にかかわらず、設定された風量値よりタイマー開始時からの経過時間に比例して減少する構成となっていたので、例えば、熱帯夜やエアコンがタイマーで運転した後のような場合、体感風量が足りず暑く感じることにより、就寝時に不快に感じたり、睡眠をさまたげたりするという課題を有していた。
【０００７】
そこで本発明は、上記従来の課題を解決するものであり、就寝時の不快さや、睡眠のさまたげを抑制する扇風機を提供することを目的とする。
【課題を解決するための手段】
【０００８】
そして、この目的を達成するために、本発明は、本体と、この本体に設けられたモータ部と、このモータによって回転する羽根部と、複数の風量の異なる風量ノッチを設定する切替スイッチと、前記本体外の温度を測定する温度測定手段と、前記モータ部の回転数を制御する制御手段とから構成し、この制御手段は、前記切替スイッチによって風量ノッチを選択後、前記おやすみ運転モードを実行すると、前記切替スイッチで選択した風量ノッチで第１の所定時間運転後、前記温度測定手段が測定した温度が、前記温度測定手段が第１の所定時間前に測定した温度以下の場合には、運転中の前記風量ノッチを一段階下げ、前記温度測定手段が測定した温度が、前記温度測定手段が前記第１の所定時間前に測定した温度より大きい場合には、運転中の前記風量ノッチを継続し、これらの制御を繰り返すことを特徴とする扇風機としたものであり、これにより所期の目的を達成するものである。
【発明の効果】
【０００９】
本発明によれば、本体と、この本体に設けられたモータ部と、このモータによって回転する羽根部と、複数の風量の異なる風量ノッチを設定する切替スイッチと、前記本体外の温度を測定する温度測定手段と、前記モータ部の回転数を制御する制御手段とから構成し、この制御手段は、前記切替スイッチによって風量ノッチを選択後、前記おやすみ運転モードを実行すると、前記切替スイッチで選択した風量ノッチで第１の所定時間運転後、前記温度測定手段が測定した温度が、前記温度測定手段が第１の所定時間前に測定した温度以下の場合には、運転中の前記風量ノッチを一段階下げ、前記温度測定手段が測定した温度が、前記温度測定手段が前記第１の所定時間前に測定した温度より大きい場合には、運転中の前記風量ノッチを継続し、これらの制御を繰り返すという構成にしたことにより、就寝時において、体感風量が足りず暑く感じることを低減し、就寝時の不快さや、睡眠のさまたげを抑制するという効果を得ることができる。
【図面の簡単な説明】
【００１０】
【図１】本発明の実施の形態１の扇風機の概略図
【図２】同扇風機の詳細を示す図
【図３】同扇風機の送風パターンを示す概念図
【図４】同扇風機の徐々に風量を下げる送風パターンを示す概念図
【図５】同扇風機の騒音を加味した風量を下げる送風パターンを示す概念図
【図６】同扇風機の室温に応じておやすみ運転モードにて運転後の最小風量ノッチを決める場合の最小風量ノッチを示す概念図
【図７】本発明の実施の形態２の扇風機の使用者が暑がりか寒がりかを推測しておやすみ運転モードにて運転後の最小風量ノッチを決める場合の最小風量ノッチを示す概念図
【図８】本発明の実施の形態３の扇風機の詳細を示す図
【図９】同扇風機の使用者が定める風量ノッチより下に下げない送風パターンを示す概念図
【図１０】従来の扇風機のブロック図
【発明を実施するための形態】
【００１１】
本発明の請求項１記載の扇風機は、本体と、この本体に設けられたモータ部と、このモータによって回転する羽根部と、複数の風量の異なる風量ノッチを設定する切替スイッチと、前記本体外の温度を測定する温度測定手段と、前記モータ部の回転数を制御する制御手段とから構成し、この制御手段は、前記切替スイッチによって風量ノッチを選択後、前記おやすみ運転モードを実行すると、前記切替スイッチで選択した風量ノッチで第１の所定時間運転後、前記温度測定手段が測定した温度が、前記温度測定手段が第１の所定時間前に測定した温度以下の場合には、運転中の前記風量ノッチを一段階下げ、前記温度測定手段が測定した温度が、前記温度測定手段が前記第１の所定時間前に測定した温度より大きい場合には、運転中の前記風量ノッチを継続し、これらの制御を繰り返すという構成である。
【００１２】
これにより、就寝時において、周辺温度が低くなっている場合において、運転中の風量ノッチが下がり、睡眠時に体にあたる風量が少なくなり、体の冷えすぎを抑えることができるという効果を奏する。更に、周辺温度が高くなっている場合には、運転中の風量ノッチが継続されるため、体感風量はかわらず、睡眠時に暑く感じることを低減でき、就寝時に不快に感じたり、睡眠をさまたげたりするということを抑制できるという効果を奏する。
【００１３】
また、前記制御手段は、前記切替スイッチで選択した風量ノッチで第１の所定時間運転後、前記温度測定手段が測定した温度が、前記温度測定手段が第１の所定時間前に測定した温度以下の場合には、運転中の前記風量ノッチの風量を徐々に前記第１の所定時間かけて一段階下げるという構成にしてもよい。
【００１４】
これにより、風量変化が小さくなるので、使用者が不快に感じずにかつ、体への負担が低減できるという効果を奏する。
【００１５】
また、前記制御手段は、前記おやすみ運転モードを実行した時の前記羽根部の送風による騒音が所定の騒音値を超えている場合には、前記温度測定手段が測定した温度が、前記温度測定手段が第１の所定時間前に測定した温度以下の場合にも、前記温度測定手段が前記第１の所定時間前に測定した温度より大きい場合にも、前記羽根部の送風による騒音が所定の騒音値より低い最大ノッチまで下げるという構成にしてもよい。
【００１６】
これにより、就寝時に送風による騒音が低下するので、就寝時に不快に感じない風量を確保しつつ、睡眠をさまたげない騒音環境を作れるという効果を奏する。
【００１７】
また、前記制御手段は、前記おやすみ運転モードにて運転をした後、室温に応じて決定される風量ノッチに達した場合にそれより下の段階には下げないという構成にしてもよい。
【００１８】
これにより、熱帯夜や涼しい夜など、日によって変わる室温に応じて風量ノッチの下限値が変わるので、日ごとの室温の違いによらずに、就寝時に不快に感じない風量を確保しつつ、睡眠をさまたげない環境を作れるという効果を奏する。
【００１９】
また、前記制御手段は、前記おやすみ運転モードにて運転をした後、おやすみ運転モード設定時の室温とおやすみ運転モード設定時の使用者の設定風量ノッチに応じて決定される風量ノッチに達した場合にそれより下の段階には下げないという構成にしてもよい。
【００２０】
これにより、おやすみ運転モード設定時の室温に対する使用者の設定風量から、使用者が暑がりか寒がりかを推測して、風量ノッチの下限値が設定されるので、就寝時に不快に感じない風量を確保しつつ、睡眠をさまたげない環境を作れるという効果を奏する。
【００２１】
また、前記制御手段は、前記おやすみ運転モードにて運転をした後、使用者の定める風量ノッチに達した場合にそれより下の段階には下げないという構成にしてもよい。
【００２２】
これにより、使用者が好みに応じて風量ノッチの下限値を設定できるので、使用者が暑がりの場合や、扇風機から使用者までの距離が離れている場合においても、就寝時に不快に感じない風量を確保しつつ、睡眠をさまたげない環境を作れるという効果を奏する。
【００２３】
以下、本発明の実施の形態について図面を参照しながら説明する。
【００２４】
（実施の形態１）
図１に示すように、扇風機は、本体１と、この本体１の上部には、モータ部２と、このモータ部２によって回転する羽根部３とを備えている。この羽根部３は、ガード部７によって囲まれている。モータ部２が駆動すると、羽根部３が回転し、この羽根部３によって送風できる。本体１の下部には、切替スイッチ４、温度測定手段５、および制御手段６を備えている。
【００２５】
図２に示すように、扇風機は、モータ部２に接続した制御手段６と、この制御手段６に接続した切替スイッチ４、および温度測定手段５を有している。切替スイッチ４は、複数の風量の異なる風量ノッチと、おやすみ運転モードを備えている。例えば、第１の風量ノッチ、第２の風量ノッチ、第３の風量ノッチ、第４の風量ノッチ、第５の風量ノッチとを有している。第１の風量ノッチから順に、第５の風量ノッチに行くにつれて、風量が大きいものである。温度測定手段５は、本体外の温度を測定できる。制御手段６は、切替スイッチ４と、温度測定手段５の測定した本体外の温度に応じて、モータ部２の回転数を制御できる。
【００２６】
本実施形態における特徴は、おやすみ運転モードを備えた点である。図３に示すように、制御手段６は、切替スイッチ４によって風量ノッチを選択後、おやすみ運転モードを実行すると、切替スイッチ４で選択した風量ノッチで第１の所定時間運転後、温度測定手段５の測定温度に応じて、２種類の制御を行う。一方は、温度測定手段５が測定した温度が、温度測定手段５が第１の所定時間前に測定した温度以下の場合には、運転中の風量ノッチを一段階下げる。他方は、温度測定手段５が測定した温度が、温度測定手段５が第１の所定時間前に測定した温度より大きい場合には、運転中の風量ノッチを継続するものである。
【００２７】
具体的には、切替スイッチ４によって、第５の風量ノッチを選択し、おやすみ運転モードを実行すると、制御手段６によってモータ部２の回転数を制御し、モータ部２を第５の風量ノッチの回転数で駆動する。この第５の風量ノッチで、第１の所定時間、例えば３０分運転する。
【００２８】
そして、この時点の温度測定手段５が測定した温度と、温度測定手段５が第１の所定時間前に測定した温度とを比較する。ここで、この時点の温度測定手段５が測定した温度が、第１の所定時間前に温度測定手段５が測定した温度以下の場合には、運転中の風量ノッチ、つまり第５の風量ノッチを、一段階下げ、第４の風量ノッチとする。また、この時点の温度測定手段５が測定した温度が、第１の所定時間前に温度測定手段５が測定した温度より大きい場合には、運転中の風量ノッチ、つまり第５の風量ノッチを継続する。
【００２９】
このように、これらの制御を繰り返すことにより、周辺温度が低くなっている場合、運転中の風量ノッチが下がり、睡眠時に体にあたる風量が少なくなり、体の冷えすぎを抑えることができる。更に、周辺温度が高くなっている場合には、運転中の風量ノッチが継続されるため、体感風量はかわらず、睡眠時に暑く感じることを低減でき、就寝時に不快に感じたり、睡眠をさまたげたりするということを抑制できる。
【００３０】
また、図４に示すように、制御手段６は、切替スイッチ４で選択した風量ノッチで第１の所定時間運転後、温度測定手段５が測定した温度が、温度測定手段５が第１の所定時間前に測定した温度以下の場合には、運転中の風量ノッチの風量を徐々に第１の所定時間かけて一段階下げるものである。これにより、体にあびる風量変化を小さくすることができるので、使用者が不快に感じずにかつ、体への負担が低減できる。
【００３１】
また、図５に示すように、制御手段６は、おやすみ運転モードを実行した時の羽根部３の送風による騒音が所定の騒音値を超えている場合には、温度測定手段５が測定した温度が、温度測定手段５が第１の所定時間前に測定した温度以下の場合にも、温度測定手段５が第１の所定時間前に測定した温度より大きい場合にも、羽根部３の送風による騒音が所定の騒音値より低い最大ノッチまで下げるものである。
【００３２】
具体的には、切替スイッチ４によって風量ノッチを選択後、切替スイッチ４によって、第７の風量ノッチを選択し、おやすみ運転モードを実行すると、制御手段６によってモータ部２の回転数を制御し、モータ部２を第７の風量ノッチの回転数で駆動する。この第７の風量ノッチで、第１の所定時間、例えば３０分運転する。
【００３３】
そして、この時点で所定の騒音値より低い最大ノッチ温度、例えば第４の風量ノッチに風量を下げる。所定の騒音値とは、室内騒音で静かと言われる３０ｄＢとしてもよい。これにより、就寝時に送風による騒音が低下するので、就寝時に不快に感じない風量を確保しつつ、睡眠をさまたげない騒音環境を作ることができる。
【００３４】
図６は、扇風機の室温に応じておやすみ運転モードにて運転後の最小風量ノッチを決める場合の最小風量ノッチを示す概念図である。
【００３５】
制御手段６は、おやすみ運転モードにて運転をした後、室温に応じて決定される風量ノッチに達した場合にそれより下の段階には下げないようにする。
【００３６】
具体的には、一例として、図６に示すように、おやすみ運転モード使用時に、温度測定手段５が測定する本体外の温度が、２８℃の場合は、おやすみ運転モード使用中の最小風量ノッチは１となり、３３℃の場合は、おやすみ運転モード使用中の最小風量ノッチは３とする。
【００３７】
このように、おやすみ運転モード使用時に、室温に応じて最小風量を決定することで、熱帯夜や涼しい夜など、日によって変わる室温に応じて風量ノッチの下限値が変わるので、日ごとの室温の違いによらずに、就寝時に不快に感じない風量を確保しつつ、睡眠をさまたげない環境を作ることができる。
【００３８】
（実施の形態２）
図７は、本発明の実施の形態２における、扇風機の使用者が暑がりか寒がりかを推測しておやすみ運転モードにて運転後の最小風量ノッチを決める場合の最小風量ノッチを示す概念図である。実施の形態１と同様の構成要素については同一の符号を付し、その詳細な説明は省略する。
【００３９】
実施の形態１と相違する点は、制御手段６は、おやすみ運転モード設定時の温度測定手段５の測定した本体外の温度と、おやすみ運転モード設定時に使用者が切替スイッチ４で選択した風量ノッチによって、おやすみ運転モードでの最小風量ノッチを決める点である。
【００４０】
具体的には、同じ室温であっても、大きい風量ノッチを設定する使用者は、小さい風量ノッチを設定する使用者よりも暑がりであると推定する。
【００４１】
一例として、図７に示すように、温度測定手段５が測定する本体外の温度が、２９℃の場合に、使用者が第７の風量ノッチでおやすみ運転モードを使用すると、最小風量ノッチが４となり、使用者が第６の風量ノッチでおやすみ運転モードを使用すると、最小風量ノッチが３となる。
【００４２】
また、同じ風量ノッチを設定した場合であっても、室温が高い環境の使用者の方が、室温が低い環境の使用者よりも寒がりであると推測する。前記推測のもと、おやすみ運転モードでの最小風量ノッチを定める。
【００４３】
一例として、図７に示すように、使用者が第７の風量ノッチでおやすみ運転モードを使用したときに、温度測定手段５が測定する本体外の温度が、２９℃の場合には、最小風量ノッチは４となり、温度測定手段５が測定する本体外の温度が、３１℃の場合には、最小風量ノッチは３となる。
【００４４】
このように、おやすみ運転モード設定時に、室温と使用者の設定する風量ノッチから使用者が暑がりか寒がりかを推測して、風量ノッチの下限値を設定することで、就寝時に不快に感じない風量を確保しつつ、睡眠をさまたげない環境を作れる。
【００４５】
（実施の形態３）
図８は、本発明の実施の形態３における、扇風機の詳細を示す図である。図９は、本発明の実施の形態３における、扇風機の使用者が定める風量ノッチより下に下げない送風パターンを示す概念図である。実施の形態１と同様の構成要素については同一の符号を付し、その詳細な説明は省略する。
【００４６】
実施の形態１と相違する点は、最小風量設定スイッチ８を設けた点である。制御手段６は、おやすみ運転モードにて運転しているときに、使用者が、最小風量設定スイッチ８によって、あらかじめ設定した風量ノッチに到達した場合には、その後の温度測定手段５の測定した本体外の温度によらず、風量ノッチを使用者の設定風量ノッチより下には下げないようにするものである。
【００４７】
具体的には、図８、図９に示すように、使用者が最小風量設定スイッチ８によって、第２の風量ノッチを選択し、切替スイッチ４によって、第５の風量ノッチを選択し、おやすみ運転モードを実行すると、制御手段６によってモータ部２の回転数を制御し、モータ部２を第５の風量ノッチの回転数で駆動する。この第５の風量ノッチで、第１の所定時間、例えば３０分運転する。
【００４８】
そして、所定時間ごとに温度測定手段５が本体外の温度を測定し、それに応じて風量ノッチを下げるか継続するかの判定を繰り返し、第２の風量ノッチになると、それ以降は風量ノッチを下げないようにする。
【００４９】
このように、おやすみ運転モード使用時に、使用者が最小風量ノッチを設定できることで、たとえば使用者が暑がりの場合や、使用者と扇風機の距離が離れている場合などに、使用者にとって風量が少なくなることを回避し、就寝時に不快に感じない風量を確保しつつ、睡眠をさまたげない環境を作ることができる。
【産業上の利用可能性】
【００５０】
本発明にかかる扇風機は、周辺温度の温度変化により風量変更を自動判定しながら、風量を時間の経過とともに低下させることを可能とするものであるので、就寝時に使用される扇風機等として有用である。
【符号の説明】
【００５１】
１  本体
２  モータ部
３  羽根部
４  切替スイッチ
５  温度測定手段
６  制御手段
７  ガード部
８  最小風量設定スイッチ
【図１】
2015086865.tif 000003
【図２】
2015086865.tif 000004
【図３】
2015086865.tif 000005
【図４】
2015086865.tif 000006
【図５】
2015086865.tif 000007
【図６】
2015086865.tif 000008
【図７】
2015086865.tif 000009
【図８】
2015086865.tif 000010
【図９】
2015086865.tif 000011
【図１０】
2015086865.tif 000012